(57)【要約】      （修正有）【課題】急速充電を実現する充電装置及びその電源アダプターを提供する。【解決手段】電源アダプター１００がパワーオン或いはリセットされた後、通常の充電モードに基づいて、電池２０１に対する充電を行う過程において、電源アダプター１００の出力電流値が予定時間間隔において通常の電流区間にある時、電源アダプター１００は、電子機器２００と急速充電問い合わせ通信を行い、電子機器２００が電源アダプター１００に急速充電指示命令を送信する。電源アダプター１００は、電子機器２００がフィードバックした電池電圧情報に基づいて、出力電圧を調整し、且つ当該出力電圧が電子機器２００により予定された急速充電電圧条件に合う時、電源アダプター１００は、電池２０１に対する充電を行うように、急速充電モードによって、出力電流及び出力電圧を調整することにより、電池２０１に対する充電時間を短縮させる。【選択図】図１
2018050459.tif 000002
【特許請求の範囲】
【請求項１】
電源アダプターであって、
前記電源アダプターは、その通信インターフェースを介して、電子機器の通信インターフェースに接続され、且つ前記電子機器における電池に対して充電を行い、前記電源アダプターは、ＥＭＩフィルタ回路と、高電圧整流フィルタ回路と、隔離変圧器と、出力フィルタ回路と、電圧トラッキングと制御回路とを含み、
前記電源アダプターは、電源モジュールと、主制御モジュールと、電位調整モジュールと、電流検出モジュールと、電圧検出モジュールと、出力スイッチモジュールとを更に含み、
前記電源モジュールの入力ポートは、前記隔離変圧器の二次ポートに接続され、前記主制御モジュールの電源ポートと、前記電位調整モジュールの電源ポートと、前記電流検出モジュールの電源ポートは、前記電源モジュールの出力ポートに共通に接続され、前記主制御モジュールの高電位ポート及び前記電位調整モジュールの高電位ポートは、いずれも前記出力フィルタ回路の正出力ポートに接続され、前記電位調整モジュールの電位調節ポートは、前記電圧トラッキングと制御回路に接続され、前記電流検出モジュールの直流入力ポートは、前記出力フィルタ回路の正出力ポートに接続され、前記電流検出モジュールの電流検出フィードバックポートは、前記主制御モジュールの電流検出ポートに接続され、前記主制御モジュールのクロック出力ポートとデータ出力ポートは、前記電位調整モジュールのクロック入力ポートとデータ入力ポートに接続され、前記電圧検出モジュールの第１検出ポートと第２検出ポートは、各々前記電流検出モジュールの直流出力ポートと前記出力フィルタ回路の負出力ポートに接続され、前記電圧検出モジュールの第１出力ポートと第２出力ポートは、各々前記主制御モジュールの第１電圧検出ポートと第２電圧検出ポートに接続され、前記出力スイッチモジュールの入力ポートは、前記電流検出モジュールの直流出力ポートに接続され、前記出力スイッチモジュールの出力ポートは、前記電圧検出モジュールの第３検出ポートに接続され、前記出力スイッチモジュールの接地ポートは、前記出力フィルタ回路の負出力ポートに接続され、前記出力スイッチモジュールの被制御ポートと電源ポートは、各々前記主制御モジュールのスイッチ制御ポートと前記隔離変圧器の二次ポートに接続され、前記出力フィルタ回路の出力負ポートと、前記出力スイッチモジュールの出力ポートと、前記主制御モジュールの第１通信ポートと、第２通信ポートは、いずれも前記電源アダプターの通信インターフェースに接続され、
前記電源アダプターがパワーオン或いはリセットされた後、前記電池に対する充電を行う時、前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対して判断し、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電圧に設定させ、前記電流検出モジュールは、前記電源アダプターの出力電流に対して検出を行い、且つ電流検出信号を前記主制御モジュールにフィードバックし、前記主制御モジュールが前記電流検出信号に基づいて、前記電源アダプターの出力電流が予定時間間隔以内において通常の電流区間にあると判定した時、前記主制御モジュールは、前記電子機器と急速充電問い合わせ通信を行い、前記電子機器が前記主制御モジュールに急速充電指示命令を送信した後、前記主制御モジュールは、前記電子機器がフィードバックした電池電圧情報に基づいて、前記電位調整モジュールを通じて、前記電圧トラッキングと制御回路を駆動し、前記隔離変圧器の出力電圧に対する調整を行なわせ、且つ前記電源アダプターの出力電圧が前記電子機器により予定された急速充電電圧条件に合う時、前記主制御モジュールは、前記電位調整モジュールを通じて
、前記電圧トラッキングと制御回路を駆動し、前記電源アダプターが急速充電電流値及び急速充電電圧値に基づいて直流を出力するように、前記隔離変圧器の出力電圧を調整させることを特徴とする電源アダプター。
【請求項２】
前記電源モジュールは、第１コンデンサーと、レギュレーターチップと、第２コンデンサーと、第１インダクタと、第２インダクタと、第１ダイオードと、第２ダイオードと、第３コンデンサーと、第１抵抗器と、第２抵抗器とを含み、
前記第１コンデンサーの第１端と、前記レギュレーターチップの入力電源ピンと、イネーブルピンとの共通接続点は、前記電源モジュールの入力ポートであり、前記第１コンデンサーの第２端と前記レギュレーターチップの接地ピンは、共通に接地され、前記レギュレーターチップのスイッチピンと前記第２コンデンサーの第１端は、前記第１インダクタの第１端に共通に接続され、前記レギュレーターチップの内部スイッチピンと前記第２コンデンサーの第２端は、前記第１ダイオードの陰極に共通に接続され、前記レギュレーターチップのフィードバック電圧ピンは、前記第１抵抗器の第１端及び前記第２抵抗器の第１端に接続され、前記第１インダクタの第２端と前記第２ダイオードの陰極は、前記第２インダクタの第１端に共通に接続され、前記第２インダクタの第２端と、前記第１ダイオードの陽極と、前記第１抵抗器の第２端と、前記第３コンデンサーの第１端とが共通に接続されて形成される共通接続点は、前記電源モジュールの出力ポートであり、前記第２ダイオードの陽極と、前記第２抵抗器の第２端と、前記第３コンデンサーの第２端は、共通に接地される、
ことを特徴とする請求項１に記載の電源アダプター。
【請求項３】
前記主制御モジュールは、主制御チップと、第３抵抗器と、基準電圧チップと、第４抵抗器と、第５抵抗器と、第４コンデンサーと、第６抵抗器と、第７抵抗器と、第１ＮＭＯＳトランジスターと、第８抵抗器と、第９抵抗器と、第１０抵抗器と、第１１抵抗器と、第１２抵抗器と、第１３抵抗器と、第１４抵抗器とを含み、
前記主制御チップの電源ピンは、前記主制御モジュールの電源ポートであり、前記主制御チップの接地ピンは、接地され、前記主制御チップの第１入力出力ピンは、未接続され、前記第３抵抗器の第１端は、前記主制御チップの電源ピンに接続され、前記第３抵抗器の第２端と前記第４抵抗器の第１端は、前記基準電圧チップの正極に共通に接続され、前記基準電圧チップの負極は、接地され、前記基準電圧チップＵ３の未接続ピンは、未接続され、前記第４抵抗器の第２端は、前記主制御チップの第２入力出力ピンに接続され、前記主制御チップの第３入力出力ピンは、前記主制御モジュールの電流検出ポートであり、前記主制御チップの第４入力出力ピンは、前記第５抵抗器の第１端に接続され、前記第５抵抗器の第２端と前記第４抵抗器の第１端は、前記主制御チップの電源ピンに共通に接続され、前記第４コンデンサーの第２端は、接地され、前記主制御チップの第５入力出力ピンは、前記主制御モジュールのスイッチ制御ポートであり、前記主制御チップの第６入力出力ピンは、前記第６抵抗器の第１端に接続され、前記第６抵抗器の第２端と前記第１ＮＭＯＳトランジスターのゲート電極は、前記第７抵抗器の第１端に共通に接続され、前記第７抵抗器の第２端と前記第１ＮＭＯＳトランジスターのソース電極は、共通に接地され、前記第１ＮＭＯＳトランジスターのドレイン電極は、前記第８抵抗器の第１端に接続され、前記第８抵抗器の第２端は、前記主制御モジュールの高電位ポートであり、前記主制御チップの第７入力出力ピンと第８入力出力ピンは、それぞれ前記主制御モジュールのクロック出力ポートとデータ出力ポートであり、前記主制御チップの第１０入力出力ピンと第９入力出力ピンは、それぞれ前記主制御モジュールの第１電圧検出ポートと第２電圧検出ポートであり、前記主制御チップの第１１入力出力ピンと前記第１２入力出力ピンは、各々前記第９抵抗器の第１端と前記第１０抵抗器の第１端に接続され、前記第１１抵抗器の第１端と前記第１２抵抗器の第１端は、各々前記第９抵抗器の第２端と前記第１０抵抗器の第２端に接続され、前記第１１抵抗器の第２端と前記第１２抵抗器の第２端は、共通に接地され、前記第１３抵抗器の第１端と前記第１４抵抗器の第１端は、各々前記第９抵
抗器の第２端と前記第１０抵抗器の第２端に接続され、前記第１３抵抗器の第２端と前記第１４抵抗器の第２端は、前記主制御チップの電源ピンに共通に接続され、前記第９抵抗器の第２端と前記第１０抵抗器の第２端は、それぞれ前記主制御モジュールの第１通信ポートと第２通信ポートである、
ことを特徴とする請求項１に記載の電源アダプター。
【請求項４】
前記電位調整モジュールは、第１５抵抗器と、第１６抵抗器と、デジタルポテンショメータと、第１７抵抗器と、第１８抵抗器と、第５コンデンサーと、第６コンデンサーと、第１９抵抗器とを含み、
前記第１５抵抗器の第１端と、前記第１６抵抗器の第１端と、前記デジタルポテンショメータの電源ピンと、前記第５コンデンサーの第１端との共通接続点は、前記電位調整モジュールの電源ポートであり、前記第５コンデンサーの第２端と、前記第６コンデンサーの第１端と、前記デジタルポテンショメータの接地ピンと、前記第１７抵抗器の第１端は、共通に接地され、前記第６コンデンサーの第２端は、前記デジタルポテンショメータの電源ピンに接続され、前記第１５抵抗器の第２端と、前記デジタルポテンショメータの直列データピンとの共通接続点は、前記電位調整モジュールのデータ入力ポートであり、前記第１６抵抗器の第２端と、前記デジタルポテンショメータのクロック入力ピンとの共通接続点は、前記電位調整モジュールのクロック入力ポートであり、前記デジタルポテンショメータのゼロアドレスピンは、接地され、前記デジタルポテンショメータの第１電位配線ピンと前記第１８抵抗器の第１端は、前記第１７抵抗器の第２端に共通に接続され、前記第１８抵抗器の第２端と前記デジタルポテンショメータの第２電位配線ピンは、前記第１９抵抗器の第１端に共通に接続され、前記第１９抵抗器の第２端は、前記電位調整モジュールの高電位ポートであり、前記デジタルポテンショメータの電位タップポートピンは、前記電位調整モジュールの電位調節ポートである、
ことを特徴とする請求項１に記載の電源アダプター。
【請求項５】
前記電流検出モジュールは、第２０抵抗器と、第２１抵抗器と、第２２抵抗器と、第７コンデンサーと、第８コンデンサーと、電流検出チップと、第２３抵抗器と、第１０コンデンサーと、第１０コンデンサーと、第２４抵抗器とを含み、
前記第２０抵抗器の第１端と第２端は、それぞれ前記電流検出モジュールの直流入力ポートと直流出力ポートであり、前記第２１抵抗器の第１端と前記第２２抵抗器の第１端は、各々前記第２０抵抗器の第１端と第２端に接続され、前記第２１抵抗器の第２端と前記第７コンデンサーの第１端は、前記電流検出チップの入力正ピンに共通に接続され、前記第２２抵抗器の第２端と前記第８コンデンサーの第１端は、前記電流検出チップの入力負ピンに共通に接続され、前記電流検出チップの電源ピンと前記第９コンデンサーの第１端との共通接続点は、前記電流検出モジュールの電源ポートであり、前記電流検出チップの未接続ピンは、未接続され、前記電流検出チップの出力ピンは、前記第２３抵抗器の第１端に接続され、前記第２３抵抗器の第２端は、前記電流検出モジュールの電流検出フィードバックポートであり、前記第１０コンデンサーの第１端と前記第２４抵抗器の第１端は、前記第２３抵抗器の第２端に共通に接続され、前記第７コンデンサーの第２端は、前記第８コンデンサーの第２端と、前記第９コンデンサーの第２端と、前記第１０コンデンサーの第２端と、前記第２４抵抗器の第２端と、前記電流検出チップの接地ピンと、前記第１基准電圧ピンと、前記第２基准電圧ピンと共通に接地される、
ことを特徴とする請求項１に記載の電源アダプター。
【請求項６】
前記電圧検出モジュールは、第２５抵抗器と、第２６抵抗器と、第１１コンデンサーと、第１２コンデンサーと、第２７抵抗器と、第２８抵抗器とを含み、
前記第２５抵抗器の第１端は、前記電圧検出モジュールの第１検出ポートであり、前記第２５抵抗器の第２端と前記第２６抵抗器の第１端と、前記第１１コンデンサーの第１端のとの共通接続点は、前記電圧検出モジュールの第２出力ポートであり、前記第２６抵抗
器の第２端は、前記電圧検出モジュールの第２検出ポートであり、前記第１１コンデンサーの第２端は、前記第１２コンデンサーの第１端及び前記第２７抵抗器の第１端と前記第２６抵抗器の第２端に共通に接続され、前記第１２コンデンサーの第２端と、前記第２７抵抗器の第２端と、前記第２８抵抗器の第１端との共通接続点は、前記電圧検出モジュールの第１出力ポートであり、前記第２８抵抗器の第２端は、前記電圧検出モジュールの第３検出ポートである、
ことを特徴とする請求項１に記載の電源アダプター。
【請求項７】
前記出力スイッチモジュールは、第２９抵抗器と、第３０抵抗器と、第１３コンデンサーと、第３１抵抗器と、第１ＮＰＮ型トライオードと、第３２抵抗器と、第２ＮＰＮ型トライオードと、第３ダイオードと、定電圧ダイオードと、第３３抵抗器と、第３４抵抗器と、第３５抵抗器と、第２ＮＭＯＳトランジスターと、第３ＮＭＯＳトランジスターとを含み、
前記第２９抵抗器の第１端は、前記出力スイッチモジュールの被制御ポートであり、前記第２９抵抗器の第２端と前記第３０抵抗器の第１端は、前記第１ＮＰＮ型トライオードのベース電極に共通に接続され、前記第１３コンデンサーの第１端は、前記第３１抵抗器の第１端及び前記第３２抵抗器の第１端と、前記第３ダイオードの陰極に共通に接続され、前記第３ダイオードの陽極は、前記出力スイッチモジュールの電源ポートであり、前記第３１抵抗器の第２端は、前記第２ＮＰＮ型トライオードのベース電極と、前記第１ＮＰＮ型トライオードのコレクター電極と、共通に接続され、前記第３２抵抗器の第２端は、前記定電圧ダイオードの陰極及び前記第３３抵抗器の第１端と、前記第２ＮＰＮ型トライオードのコレクター電極に共通に接続され、前記第３０抵抗器の第２端は、前記第１３コンデンサーの第２端と、前記第１ＮＰＮ型トライオードのエミッタ電極と、前記第２ＮＰＮ型トライオードのエミッタ電極と、前記定電圧ダイオードの陽極と、共通に接地され、前記第３３抵抗器の第２端は、前記第３４抵抗器の第１端と、前記第３５抵抗器の第１端と、前記第２ＮＭＯＳトランジスターのゲート電極と、前記第３ＮＭＯＳトランジスターのゲート電極と共通に接続され、前記第３４抵抗器の第２端は、前記出力スイッチモジュールの接地ポートであり、前記第２ＮＭＯＳトランジスターのドレイン電極は、前記出力スイッチモジュールの入力ポートであり、前記第２ＮＭＯＳトランジスターのソース電極と前記第３５抵抗器の第２端は、前記第３ＮＭＯＳトランジスターのソース電極に共通に接続され、前記第３ＮＭＯＳトランジスターのドレイン電極は、前記出力スイッチモジュールの出力ポートである、
ことを特徴とする請求項１に記載の電源アダプター。
【請求項８】
電子機器充電装置であって、
前記電子機器充電装置は、請求項１から７に記載の電源アダプターと、充電制御モジュールとを含み、
前記電源アダプターは、その通信インターフェースを介して、電子機器の通信インターフェースに接続され、且つ前記電子機器中における電池に対する充電を行い、前記充電制御モジュールは、前記電子機器に内蔵され、且つ前記電子機器の通信インターフェースを介して、前記電源アダプターに接続され、前記電源アダプターがパワーオン或いはリセットされた後、前記電池に対する充電を行う時、前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対する判断を行い、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電
圧に設定させ、前記電流検出モジュールは、前記電源アダプターの出力電流に対する検出を行い、且つ電流検出信号を前記主制御モジュールにフィードバックし、前記主制御モジュールが前記電流検出信号に基づいて、前記電源アダプターの出力電流が予定時間間隔以内において通常の電流区間にあると判定した時、前記主制御モジュールは、前記充電制御モジュールと急速充電問い合わせ通信を行い、前記充電制御モジュールが前記主制御モジュールに急速充電指示命令を送信した後、前記主制御モジュールは、前記充電制御モジュールがフィードバックした電池電圧情報に基づいて、前記電位調整モジュールを通じて、前記電圧トラッキングと制御回路を駆動し、前記隔離変圧器の出力電圧に対する調整を行なわせ、且つ前記電源アダプターの出力電圧が前記充電制御モジュールにより予定された急速充電電圧条件に合う時、前記主制御モジュールは、前記電位調整モジュールを通じて、前記電源アダプターが急速充電電流値及び急速充電電圧値に基づいて直流を出力するように、前記電圧トラッキングと制御回路を駆動し、前記隔離変圧器の出力電圧を調整させ、前記充電制御モジュールは、同時に前記電子機器の通信インターフェースを通じて、前記電源アダプターから直流を引き込み、前記電池に対する充電を行うことを特徴とする電子機器充電装置。
【請求項９】
前記充電制御モジュールは、電池コネクターと、主制御器と、第１３コンデンサーと、第３６抵抗器と、第３７抵抗器と、第１４コンデンサーと、第１ショットキーダイオードと、第２ショットキーダイオードと、第１５コンデンサーと、第３８抵抗器と、第３９抵抗器と、第４０抵抗器と、第３ＮＰＮ型トライオードと、第４ＮＭＯＳトランジスターと、第５ＮＭＯＳトランジスターとを備え、
前記電池コネクターは、前記電池の電極に接続され、前記電池コネクターの第１ピンと第２ピンは、共通に接地され、前記電池コネクターの第１接地ピンと第２接地ピンは、共通に接地され、前記主制御器の第１入力出力ピンは、前記電池コネクターの第７ピン及び第８ピンに接続され、前記主制御器の第２入力出力ピン、第７入力出力ピン、第８入力出力ピン及び第９入力出力ピンは、各々前記電池コネクターの第６ピン、第５ピン、第４ピン及び第３ピンに接続され、前記主制御器のアナログ接地ピン及びグラウンドピンは、いずれも接地され、前記主制御器の第１未接続ピン及び第２未接続ピンは、いずれも未接続され、前記主制御器の電源ピン及び前記第１３コンデンサーの第１端は、いずれも前記電池コネクターの第７ピン及び第８ピンに共通に接続され、前記主制御器の第４入力出力ピン及び前記第１１入力出力ピンは、電子機器とデータ通信を行い、前記第３６抵抗器は、前記主制御器の第４入力出力ピンと電源ピンとの間に接続され、前記主制御器の第６入力出力ピンと第１２入力出力ピンは、各々前記アダプター中の主制御モジュールの第１通信ポートと第２通信ポートに接続され、前記第３７抵抗器の第１端及び前記第３８抵抗器の第１端は、前記主制御器の第１０入力・出力ポートに共通に接続され、前記第３７抵抗器の第２端は、前記主制御器の電源ピンに接続され、前記第３８抵抗器の第２端は、前記第３ＮＰＮ型トライオードのベース電極に接続され、前記主制御器の第５入力・出力ポートは、前記第１４コンデンサーの第１端に接続され、前記第１４コンデンサーの第２端及び前記第１ショットキーダイオードの陰極は、前記第２ショットキーダイオードの陽極に共通に接続され、前記第３９抵抗器の第１端及び前記第１５コンデンサーの第１端は、前記第２ショットキーダイオードの陰極に共通に接続され、前記第３９抵抗器の第２端と、前記第４０抵抗器の第１端と、前記第３ＮＰＮ型トライオードのコレクター電極は、いずれも前記第４
ＮＭＯＳトランジスターのゲート電極及び前記第５ＮＭＯＳトランジスターのゲート電極に接続され、前記第４０抵抗器の第２端と前記第１５コンデンサーの第２端は、共通に接地され、前記第４ＮＭＯＳトランジスターのソース電極は、前記第１ショットキーダイオードの陽極に接続され、且つ前記電池コネクターの第７ピン及び第８ピンに接続され、前記第４ＮＭＯＳトランジスターのドレイン電極は、前記第５ＮＭＯＳトランジスターのドレイン電極に接続され、前記第５ＮＭＯＳトランジスターのソース電極は、前記電子機器の通信インターフェースに接続され、前記第３ＮＰＮ型トライオードのエミッタ電極は
、前記第３ショットキーダイオードの陽極に接続され、前記第３ショットキーダイオードの陰極は、接地される、
ことを特徴とする請求項８に記載の電子機器充電装置。
【請求項１０】
前記充電制御モジュールは、第６ＮＭＯＳトランジスターと、第７ＮＭＯＳトランジスターと、第４１抵抗器とを更に備え、
前記第６ＮＭＯＳトランジスターのソース電極は、前記第５ＮＭＯＳトランジスターのソース電極に接続され、前記第６ＮＭＯＳトランジスターのドレイン電極は、前記第７ＮＭＯＳトランジスターのドレイン電極に接続され、前記第７ＮＭＯＳトランジスターのソース電極は、前記第３ＮＰＮ型トライオードのコレクター電極に接続され、前記第６ＮＭＯＳトランジスターのゲート電極及び前記第７ＮＭＯＳトランジスターのゲート電極は、前記第４１抵抗器の第１端に共通に接続され、前記第４１抵抗器の第２端は、接地される、
ことを特徴とする請求項９に記載の電子機器充電装置。
【発明の詳細な説明】
【技術分野】
【０００１】
本発明は、充電技術に関し、特に電子機器充電装置及びその電源アダプターに関する。
【背景技術】
【０００２】
現在、電子機器における電池は、その電源アダプターにより充電を行い、アダプターは、通常定電圧出力方式を利用して電池に対して充電を行っている。大容量の電池は、定電圧出力方式を利用して電池に対して充電を行う場合、充電時間があまりにも長くなるので、上記の従来技術は、充電時間を短縮するように電池に対する急速充電を実現することができない。
【発明の概要】
【発明が解決しようとする課題】
【０００３】
本発明の目的は、電源アダプターを提供し、従来技術における電池に対する充電時間を短縮するための急速充電を実現出来ない問題を解決することである。
【課題を解決するための手段】
【０００４】
本発明は、下記の通りに実現される。電源アダプターであって、前記電源アダプターは、その通信インターフェースを介して、電子機器の通信インターフェースに接続され、且つ前記電子機器における電池に対する充電を行い、前記電源アダプターは、ＥＭＩフィルタ回路と、高電圧整流フィルタ回路と、隔離変圧器と、出力フィルタ回路と、電圧トラッキングと制御回路と、を含む。
【０００５】
前記電源アダプターは、電源モジュールと、主制御モジュールと、電位調整モジュールと、電流検出モジュールと、電圧検出モジュールと、出力スイッチモジュールを更に含む。
【０００６】
前記電源モジュールの入力ポートは、前記隔離変圧器の二次ポートに接続され、前記主制御モジュールの電源ポートと、前記電位調整モジュールの電源ポートと、前記電流検出モジュールの電源ポートは、前記電源モジュールの出力ポートに共通に接続され、前記主制御モジュールの高電位ポート及び前記電位調整モジュールの高電位ポートは、いずれも前記出力フィルタ回路の正出力ポートに接続され、前記電位調整モジュールの電位調節ポートは、前記電圧トラッキングと制御回路に接続され、前記電流検出モジュールの直流入力ポートは、前記出力フィルタ回路の正出力ポートに接続され、前記電流検出モジュールの電流検出フィードバックポートは、前記主制御モジュールの電流検出ポートに接続され、前記主制御モジュールのクロック出力ポートとデータ出力ポートは、前記電位調整モジュールのクロック入力ポートとデータ入力ポートに接続され、前記電圧検出モジュールの第１検出ポートと第２検出ポートは、各々前記電流検出モジュールの直流出力ポートと前記出力フィルタ回路の負出力ポートに接続され、前記電圧検出モジュールの第１出力ポートと第２出力ポートは、各々前記主制御モジュールの第１電圧検出ポートと第２電圧検出ポートに接続され、前記出力スイッチモジュールの入力ポートは、前記電流検出モジュールの直流出力ポートに接続され、前記出力スイッチモジュールの出力ポートは、前記電圧検出モジュールの第３検出ポートに接続され、前記出力スイッチモジュールの接地ポートは、前記出力フィルタ回路の負出力ポートに接続され、前記出力スイッチモジュールの被制御ポートと電源ポートは、各々前記主制御モジュールのスイッチ制御ポートと前記隔離変圧器の二次ポートに接続され、前記出力フィルタ回路の負出力ポートと、前記出力スイッチモジュールの出力ポートと、前記主制御モジュールの第１通信ポートと、第２通信ポートは、いずれも前記電源アダプターの通信インターフェースに接続される。
【０００７】
前記電源アダプターがパワーオン或いはリセットされた後、前記電池に対する充電を行う時、前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対して判断し、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電圧に設定させ、前記電流検出モジュールは、前記電源アダプターの出力電流を対する検出を行い、且つ電流検出信号を前記主制御モジュールにフィードバックし、当前記主制御モジュールは、前記電流検出信号に基づいて、前記電源アダプターの出力電流が予定時間間隔以内において通常の電流区間にあると判定した時、前記主制御モジュールは、前記電子機器と急速充電問い合わせ通信を行い、前記電子機器が前記主制御モジュールに急速充電指示命令を送信した後、前記主制御モジュールは、前記電子機器がフィードバックした電池電圧情報に基づいて、前記電位調整モジュールを通じて、前記電圧トラッキングと制御回路を駆動し、前記隔離変圧器の出力電圧に対する調整を行わせ、且つ前記電源アダプターの出力電圧が、前記電子機器により予定された急速充電電圧条件に合う時、前記主制御モジュールは、前記電位調整モジュールを通じて、前記電圧トラッキングと制御回路を駆動し、前記電源アダプターが急速充電電流値及び急速充電電圧値に基づいて直流を出力するように、前記隔離変圧器の出力電圧を調整させる。
【０００８】
本発明のもう一つの目的は、電子機器充電装置を提供することでもあり、前記電子機器充電装置は、前記電源アダプターと、充電制御モジュールとを含む。前記電源アダプターは、その通信インターフェース及び電子機器の通信インターフェースを介して接続され、且つ前記電子機器における電池に対する充電を行う。前記充電制御モジュールは、前記電子機器に内蔵され、且つ前記電子機器の通信インターフェースを介して前記電源アダプターに接続される。
【０００９】
前記電源アダプターがパワーオン或いはリセットされた後、前記電池に対する充電を行う時、前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対する判断を行い、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電圧に設定し、前記電流検出モジュールは、前記電源アダプターの出力電流に対する検出を行い、且つ電流検出信号を前記主制御モジュールにフィードバックし、前記主制御モジュールが前記電流検出信号に基づいて、前記電源アダプターの出力電流が予定時間間隔以内において通常の電流区間にあると判定した時、前記主制御モジュールと前記充電制御モジュールは、急速充電問い合わせ通信を行い、前記充電制御モジュールが前記主制御モジュールに急速充電指示命令を送信した後、前記主制御モジュールは、前記充電制御モジュールがフィードバックする電池電圧情報に基づいて、前記電位調整モジュールを通じて、前記電圧トラッキングと制御回路を駆動し、前記隔離変圧器の出力電圧に対する調整を行わせ、且つ前記電源アダプターの出力電圧が前記充電制御モジュールにより予定された急速充電電圧条件に合う時、前記主制御モジ
ュールは、前記電位調整モジュールを通じて、前記電圧トラッキングと制御回路を駆動し、前記電源アダプターが急速充電電流値及び急速充電電圧値に基づいて直流を出力するように、前記隔離変圧器の出力電圧を調整させ、前記充電制御モジュールは、同時に前記電子機器の通信インターフェースを通じて、前記電源アダプターから直流を引き出し、前記電池に対する充電を行う。
【発明の効果】
【００１０】
本発明は、電源モジュールと、主制御モジュールと、電位調整モジュールと、電流検出モジュールと、電圧検出モジュールと、出力スイッチモジュールとを含む電源アダプター採用することにより、電源アダプターがパワーオン或いはリセットされた後、通常の充電モードによって電池に対する充電を行う過程において、電源アダプターの出力電流値が予定時間間隔以内において通常の電流区間にある場合、電源アダプターは電子機器と急速充電問い合わせ通信を行い、電子機器が電源アダプターに急速充電指示命令を送信した後、電源アダプターは、電子機器がフィードバックした電池電圧情報に基づいて、出力電圧を調整し、且つ当該出力電圧が電子機器により予定された急速充電電圧条件に合う時、電源アダプターは、急速充電モードによって、電池に対する充電を行うように、出力電流及び出力電圧を調整することにより、電池に対する充電時間を短縮させるための急速充電を行う目的を実現する。
【図面の簡単な説明】
【００１１】
【図１】本発明の実施例が提供する電源アダプターのモジュール構成図である。
【図２】図１が示す電源アダプタの例示的な回路構成図である。
【図３】本発明の実施例が提供する電子機器充電装置のモジュール構成図である。
【図４】図３が示す充電制御モジュールの例示的な回路構成図である。
【図５】図３が示す充電制御モジュールのもう一つの例示的な回路構成図である。
【発明を実施するための形態】
【００１２】
本発明の目的、技術案、及び利点をより明らかにするために、下記の図面及び実施例を結合することより、本発明をより詳細に説明する。ここで説明される具体的な実施例は、ただ本発明を説明するために用いられ、本発明を限定するのではないことが理解できる。
【００１３】
図１は、本発明の実施例が提供する電源アダプターのモジュール構造を示している。説明を便利にするために、本発明の実施例と関連される部分だけを示すが、その詳述は下記のようである。
【００１４】
本発明の実施例が提供する電源アダプター１００は、その通信インターフェース１０を介して、電子機器２００の通信インターフェース２０に接続され、且つ電子機器２００における電池２０１に対する充電を行う。
【００１５】
電源アダプター１００は、ＥＭＩフィルタ回路１０１と、高電圧整流フィルタ回路１０２と、隔離変圧器１０３と、出力フィルタ回路１０４と、電圧トラッキングと制御回路１０５とを含む。商用電源は、ＥＭＩフィルタ回路１０１を経て、電磁干渉濾波を行った後、高電圧整流フィルタ回路１０２により整流フィルタ処理を行って高電圧直流を出力し、当該高電圧直流は、隔離変圧器１０３を通じて電気隔離を行った後、フィルタ処理後の電池に対する充電を行うように、フィルタ回路１０４に出力され、電圧トラッキングと制御回路１０５は、出力フィルタ回路１０４の出力電圧に基づいて、隔離変圧器１０３の出力電圧に対する調整を行う。
【００１６】
電源アダプター１００は、電源モジュール１０６と、主制御モジュール１０７と、電位調整モジュール１０８と、電流検出モジュール１０９と、電圧検出モジュール１１０と、
出力スイッチモジュール１１１とを更に含む。
【００１７】
電源モジュール１０６の入力ポートは、隔離変圧器１０３の二次ポートに接続され、主制御モジュール１０７の電源ポートと、電位調整モジュール１０８の電源ポートと、電流検出モジュール１０９の電源ポートは、電源モジュール１０８の出力ポートに共通に接続され、主制御モジュール１０７の高電位ポート及び電位調整モジュール１０８の高電位ポートは、いずれも出力フィルタ回路１０４の正出力ポートに接続され、電位調整モジュール１０８の電位調節ポートは、電圧トラッキングと制御回路１０５に接続され、電流検出モジュール１０９の直流入力ポートは、出力フィルタ回路１０４の正出力ポートに接続、電流検出モジュール１０９の電流検出フィードバックポートは、主制御モジュール１０７の電流検出ポートに接続され、主制御モジュール１０７のクロック出力ポート及びデータ出力ポートは、電位調整モジュール１０８のクロック入力ポート及びデータ入力ポートに接続され、電圧検出モジュール１１０の第１検出ポートと第２検出ポートは、各々電流検出モジュール１０９の直流出力ポートと出力フィルタ回路１０４の負出力ポートに接続され、電圧検出モジュール１１０の第１出力ポートと第２出力ポートは、各々主制御モジュール１０７の第１電圧検出ポートと第２電圧検出ポートに接続され、出力スイッチモジュール１１１の入力ポートは、電流検出モジュール１０９の直流出力ポートに接続され、出力スイッチモジュール１１１の出力ポート及び出力フィルタ回路１０４の負出力ポートは、通信インターフェース１０に接続され、且つ出力スイッチモジュール１１１の出力ポートは、電圧検出モジュール１１０の第３検出ポートに接続され、出力スイッチモジュール１１１の接地ポートは、出力フィルタ回路１０４の負出力ポートに接続され、出力スイッチモジュール１１１の被制御ポートと電源ポートは、各々主制御モジュール１０７のスイッチ制御ポートと隔離変圧器１０３の二次ポートに接続され、出力フィルタ回路１０４の出力負ポート、出力スイッチモジュール１１１の出力ポート、主制御モジュール１０７の第１通信ポート及び第２通信ポートは、いずれも電源アダプター１００の通信インターフェース１０に接続される。
【００１８】
電源アダプター１００がパワーオン或いはリセットされた後、電池２０１に対する充電を行う時、主制御モジュール１０７は、出力スイッチモジュール１１１を制御し、電源アダプター１００の直流出力を遮断させ、電圧検出モジュール１１０は、電源アダプター１００の出力電圧に対する検出を行い、且つ電圧検出信号を主制御モジュール１０７にフィードバックし、主制御モジュール１０７は、上記の電圧検出信号に基づいて、電源アダプター１００の出力電圧が電圧閾値（例えば、２Ｖ）より大きいか否かを判断し、「はい」であれば、主制御モジュール１０７は、続いて電源アダプター１００の出力電圧に対する判断を行い、「いいえ」であれば、主制御モジュール１０７は、出力スイッチモジュール１１１を制御し、電源アダプター１００の直流出力を開通させ、且つ電位調整モジュール１０８を通じて、電圧トラッキングと制御回路１０５を駆動し、隔離変圧器１０３の出力電圧を通常の出力電圧（例えば、５.１Ｖ）に設定させる。電流検出モジュール１０９は
、電源アダプター１００の出力電流に対する検出を行い、且つ電流検出信号を主制御モジュール１０７にフィードバックし、主制御モジュール１０７が上記の電流検出信号に基づいて、電源アダプター１００の出力電流が予定時間間隔以内において通常の電流区間にあると判定した時、主制御モジュール１０７は、電子機器２００と急速充電問い合わせ通信を行い、電子機器２００が主制御モジュール１０７に急速充電指示命令を送信した後、主制御モジュール１０７は、電子機器２００がフィードバックした電池電圧情報に基づいて、電位調整モジュール１０８を通じて、電圧トラッキングと制御回路１０５を駆動し、隔離変圧器１０３の出力電圧に対する調整を行わせ、且つ電源アダプター１００の出力電圧が電子機器２００により予定された急速充電電圧条件に合う時、主制御モジュール１０７は、電位調整モジュール１０８を通じて、電圧トラッキングと制御回路１０５を駆動し、電源アダプター１００が急速充電電流値（４Ａ）及び急速充電電圧値（３．４Ｖ〜４.８
Ｖ）に基づいて直流を出力するように、隔離変圧器１０３の出力電圧を調整させる。
【００１９】
その中で、電源アダプター１００がパワーオン或いはリセットされた後、電池２０１に対する充電を行う時、若し電源アダプター１００の出力電流値が電流下限値（例えば、１Ａ）より小さい場合、電流検出モジュール１０９は、続いて電源アダプター１００の出力電流に対する検出を行い、且つ電流検出信号を主制御モジュール１０７にフィードバックし、若し電源アダプター１００の出力電流値が電流上限値（例えば、４Ａ）より大きい場合、主制御モジュール１０７は、出力スイッチモジュール１１１を制御し、短路保護を実現するように、電源アダプター１００の直流出力を遮断させる。
【００２０】
上記の主制御モジュール１０７が電子機器２００と急速充電問い合わせ通信を行う過程において、主制御モジュール１０７は、電子機器２００に急速充電問い合わせ指令を送信し、電子機器２００は、当該急速充電問い合わせ指令に基づいて、電池２０１の電圧が急速充電電圧値に達するか否かを判断し、「はい」であれば、主制御モジュール１０７に急速充電指示命令をフィードバックし、「いいえ」であれば、主制御モジュール１０７に急速充電否決命令をフィードバックする。
【００２１】
上記の主制御モジュール１０７が電子機器２００がフィードバックした電池電圧情報に基づいて、電位調整モジュール１０８を通じて、電圧トラッキングと制御回路１０５を駆動し、隔離変圧器１０３の出力電圧に対する調整を行わせる過程において、主制御モジュール１０７は、電子機器２００が送信した急速充電指示命令に基づいて、電子機器２００に電池電圧取得要請を送信し、電子機器２００は、当該電池電圧取得要請に基づいて、電池電圧情報を主制御モジュール１０７にフィードバックし、主制御モジュール１０７は、当該電池電圧情報に基づいて、電位調整モジュール１０８を通じて、電圧トラッキングと制御回路１０５を駆動し、隔離変圧器１０３の出力電圧を上記の急速充電電圧設定値に調整させる。
【００２２】
上記の電源アダプター１００の出力電圧が電子機器２００により予定された急速充電電圧条件（即ち、急速充電電圧定格区間に処し、或いは急速充電電圧定格値と同じである）に合う時、主制御モジュール１０７は、電位調整モジュール１０８を通じて、電圧トラッキングと制御回路１０５を駆動し、電源アダプター１００が急速充電電流値及び急速充電電圧値に基づいて直流を出力するように、隔離変圧器１０３の出力電圧を調整させる過程は、具体的に下記の通りである。
【００２３】
主制御モジュール１０７は、電子機器２００と急速充電電圧問い合わせ通信を行い、主制御モジュール１０７は、出力電圧情報を電子機器２００にフィードバックする。電源アダプター１００の出力電圧が急速充電電圧定格区間に処し、或いは急速充電電圧定格値と同じである時、電子機器２００は、電源アダプター１００の出力電圧が電子機器２００により予定された急速充電電圧条件に合うと判定し、且つ急速充電モード進入指令を主制御モジュール１０７にフィードバックする。当該急速充電モード進入指令に基づいて、主制御モジュール１０７は、電位調整モジュール１０８を通じて、電圧トラッキングと制御回路１０５を駆動し、電源アダプター１００が急速充電電流値及び急速充電電圧値に基づいて直流を出力するように、隔離変圧器１０３の出力電圧を調整させる。また、電源アダプター１００の出力電圧が充電制御モジュール２００により予定された急速充電電圧条件（即ち、急速充電電圧定格区間に処しなく、或いは急速充電電圧定格値と同じでない）に合わない時、電子機器２００は、電圧偏差フィードバック信号を主制御モジュール１０７に送信し、主制御モジュール１０７は、当該電圧偏差フィードバック信号に基づいて、電位調整モジュール１０８を通じて、電圧トラッキングと制御回路１０５駆動し、隔離変圧器１０３の出力電圧を調整させた後、続いて電子機器２００と急速充電電圧問い合わせ通信を行う。具体的には、電圧偏差フィードバック信号は、低電圧フィードバック信号と、高電圧フィードバック信号とを含み、若し低電圧である場合、主制御モジュール１０７は、
低電圧フィードバック信号に基づいて、電位調整モジュール１０８を通じて、電圧トラッキングと制御回路１０５を駆動し、隔離変圧器１０３の出力電圧を高く調整させ、若し高電圧である場合、主制御モジュール１０７は、高電圧フィードバック信号に基づいて、電位調整モジュール１０８を通じて、電圧トラッキングと制御回路１０５を駆動し、隔離変圧器１０３の出力電圧を低く調整させる。
【００２４】
尚、上記の当該急速充電モード進入指令に基づいて、主制御モジュール１０７が電位調整モジュール１０８通じて、電圧トラッキングと制御回路１０５を駆動し、電源アダプター１００が急速充電電流値及び急速充電電圧値に基づいて、直流を出力するように、隔離変圧器１０３の出力電圧を調整させる過程は、具体的に下記の通りである。
【００２５】
主制御モジュール１０７は、電位調整モジュール１０８を通じて、電圧トラッキングと制御回路１０５を駆動し、隔離変圧器１０３の出力電圧に対する調整を行わせることにより、電源アダプター１００の出力電流と出力電圧をそれぞれ急速充電電流値（例えば、４Ａ）と急速充電電圧値（是３．４Ｖ〜４.８Ｖでの任意値）に調整し、主制御モジュール
１０７は、電子機器２００から電池電圧情報を取得し、且つ電圧検出モジュール１１０がフィードバックした電圧検出信号に基づいて、電源アダプター１００の出力電圧と電池電圧との差が電圧差閾値（例えば、０.８Ｖ）より大きいか否かを判断し、「はい」であれ
ば、電源アダプター１００と電子機器２００と、電池２０１との間の線路インピーダンスが異常であることを表し、主制御モジュール１０７は、出力スイッチモジュール１１１を制御し、アダプター１００の直流出力を遮断させ、「いいえ」であれば、主制御モジュール１０７は、電池電圧情報に基づいて、電位調整モジュール１０８を通じて、電圧トラッキングと制御回路１０５を駆動し、電源アダプター１００の出力電流に対する調整を行うように、隔離変圧器１０３の出力電圧を調整させ、且つ電池２０１に対する急速充電を行う過程において、電源アダプター１００の出力電流を循環的に調整するように、続いて充電制御モジュール３００から電池電圧情報を取得することにより、電池２０１に対する急速充電プロセスを最適化し、充電時間を短縮させる目的を達成する。
【００２６】
また、上記の主制御モジュール１０７は、電位調整モジュール１０８を通じて、電圧トラッキングと制御回路１０５を駆動し、アダプター１００が急速充電電流値及び急速充電電圧値に基づいて直流を出力するように、隔離変圧器１０３の出力電圧を調整させる同時に、電子機器２００は、電池２０１の電圧に対する検出を行い、若し電池２０１の電圧が急速充電閾値電圧（例えば、４.３５Ｖ）より大きい場合、電子機器２００は、電源アダ
プター１００から直流を引き込んで電池２０１に対する充電を行うことを停止し、且つ急速充電遮断指令を主制御モジュール１０７にフィードバックすると、主制御モジュール１０７は、当該急速充電遮断指令に基づいて、急速充電モードから退出し、且つ通常の充電モードに戻る。
【００２７】
図２は、上記の電源アダプター１００の例示的な回路構造を示している。説明を便利にするために、本発明の実施例と関連される部分だけを示すが、その詳述は下記のようである。
【００２８】
電源モジュール１０６は、第１コンデンサーＣ１と、レギュレーターチップＵ１と、第２コンデンサーＣ２と、第１インダクタＬ１と、第２インダクタＬ２と、第１ダイオードＤ１と、第２ダイオードＤ２と、第３コンデンサーＣ３と、第１抵抗器Ｒ１と、第２抵抗器Ｒ２とを含む。
【００２９】
第１コンデンサーＣ１の第１端と、レギュレーターチップＵ１の入力電源ピンＶＩＮと、イネーブルピンＥＮとの共通接続点は、電源モジュール１０６の入力ポートであり、第１コンデンサーＣ１の第２端とレギュレーターチップＵ１の接地ピンＧＮＤは共通に接地
され、レギュレーターチップＵ１のスイッチピンＳＷと第２コンデンサーＣ２の第１端は、第１インダクタＬ１の第１端に共通に接続され、レギュレーターチップＵ１の内部スイッチピンＢＯＯＳＴと第２コンデンサーＣ２の第２端は、第１ダイオードＤ１の陰極に共通に接続され、レギュレーターチップＵ１のフィードバック電圧ピンＦＢは、第１抵抗器Ｒ１の第１端及び第２抵抗器Ｒ２の第１端に接続され、第１インダクタＬ１の第２端と第２ダイオードＤ２の陰極は、第２インダクタＬ２の第１端に共通に接続され、第２インダクタＬ２の第２端と、第１ダイオードＤ１の陽極と、第１抵抗器Ｒ１の第２端と、第３コンデンサーＣ３の第１端とが共通に接続されて形成される共通接続点は、電源モジュール１０６の出力ポートであり、第２ダイオードＤ２の陽極と、第２抵抗器Ｒ２の第２端と、第３コンデンサーＣ３の第２端は、共通に接地される。その中で、電源モジュール１０６は、レギュレーターチップＵ１を核心として、隔離変圧器１０３の二次ポート電圧に対する電圧変換処理を行った後、＋３.３Ｖの電圧を出力し、主制御モジュール１０７と、電
位調整モジュール１０８と、電流検出モジュール１０９に給電する。レギュレーターチップＵ１は、具体的にモデルがＭＣＰ１６３０１である減電圧タイプの直流/直流変換器で
あって可能である。
【００３０】
主制御モジュール１０７は、主制御チップＵ２と、第３抵抗器Ｒ３と、基準電圧チップＵ３と、第４抵抗器Ｒ４と、第５抵抗器Ｒ５と、第４コンデンサーＣ４と、第６抵抗器Ｒ６と、第７抵抗器Ｒ７と、第１ＮＭＯＳトランジスターQ１と、第８抵抗器Ｒ８と、第９
抵抗器Ｒ９と、第１０抵抗器Ｒ１０と、第１１抵抗器Ｒ１１と、第１２抵抗器Ｒ１２と、第１３抵抗器Ｒ１３と、第１４抵抗器Ｒ１４とを含む。
【００３１】
主制御チップＵ３の電源ピンＶＤＤは、主制御モジュール１０７の電源ポートであり、主制御チップＵ３の接地ピンＶＳＳは、接地され、主制御チップＵ３の第１入力出力ピンＲＡ０は、未接続され、第３抵抗器Ｒ３の第１端は、主制御チップＵ３の電源ピンＶＤＤに接続され、第３抵抗器Ｒ３の第２端と第４抵抗器Ｒ４の第１端は、基準電圧チップＵ３の正極ＣＡＴＨＯＤＥに共通に接続され、基準電圧チップＵ３の負極ＡＮＯＤＥは、接地され、基準電圧チップＵ３の未接続ピンＮＣは未接続され、第４抵抗器Ｒ４の第２端は、主制御チップＵ２の第２入力出力ピンＲＡ１に接続され、主制御チップＵ２の第３入力出力ピンＲＡ２は、主制御モジュール１０７の電流検出ポートであり、主制御チップＵ２の第４入力出力ピンＲＡ３は、第５抵抗器Ｒ５の第１端に接続され、第５抵抗器Ｒ５の第２端と第４コンデンサーＣ４の第１端は、主制御チップＵ２の電源ピンＶＤＤに共通に接続され、第４コンデンサーＣ４の第２端は、接地され、主制御チップＵ２の第５入力出力ピンＲＡ４は、主制御モジュール１０７のスイッチ制御ポートであり、主制御チップＵ２の第６入力出力ピンＲＡ５は、第６抵抗器Ｒ６の第１端に接続され、第６抵抗器Ｒ６の第２端と第１ＮＭＯＳトランジスターQ１のゲート電極は、第７抵抗器Ｒ７の第１端に共通に
接続され、第７抵抗器Ｒ７の第２端と第１ＮＭＯＳトランジスターQ１のソース電極は、
共通に接地され、第１ＮＭＯＳトランジスターQ１のドレイン電極は、第８抵抗器Ｒ８の
第１端に接続され、第８抵抗器Ｒ８の第２端は、主制御モジュール１０７の高電位ポートであり、主制御チップＵ２の第７入力出力ピンＲＣ０と第８入力出力ピンＲＣ１は、それぞれ主制御モジュール１０７のクロック出力ポートとデータ出力ポートであり、主制御チップＵ２の第１０入力出力ピンＲＣ３と第９入力出力ピンＲＣ２は、それぞれ主制御モジュール１０７の第１電圧検出ポートと第２電圧検出ポートであり、主制御チップＵ２の第１１入力出力ピンＲＣ４と第１２入力出力ピンＲＣ５は、各々第９抵抗器Ｒ９の第１端と第１０抵抗器Ｒ１０の第１端に接続され、第１１抵抗器Ｒ１１の第１端と第１２抵抗器Ｒ１２の第１端は、各々第９抵抗器Ｒ９の第２端と第１０抵抗器Ｒ１０の第２端に接続され、第１１抵抗器Ｒ１１の第２端と第１２抵抗器Ｒ１２の第２端は、共通に接地され、第１３抵抗器Ｒ１３の第１端と第１４抵抗器Ｒ１４の第１端は、各々第９抵抗器Ｒ９の第２端と第１０抵抗器Ｒ１０の第２端に接続され、第１３抵抗器Ｒ１３の第２端と第１４抵抗器Ｒ１４の第２端は、主制御チップＵ２の電源ピンＶＤＤに共通に接続され、第９抵抗器Ｒ
９の第２端と第１０抵抗器Ｒ１０の第２端は、それぞれ主制御モジュール１０７の第１通信ポートと第２通信ポートである。その中で、主制御チップＵ２は、具体的にモデルがＰＩＣ１２ＬＦ１８２２や、ＰＩＣ１２Ｆ１８２２や、ＰＩＣ１６ＬＦ１８２３や、或いはＰＩＣ１６Ｆ１８２３である単一チップマイコンであって可能であり、基準電圧チップＵ３は、モデルがＬＭ４０４０である電圧基準器であって可能である。
【００３２】
電位調整モジュール１０８は、第１５抵抗器Ｒ１５と、第１６抵抗器Ｒ１６と、デジタルポテンショメータＵ４と、第１７抵抗器Ｒ１７と、第１８抵抗器Ｒ１８と、第５コンデンサーＣ５と、第６コンデンサーＣ６と、第１９抵抗器Ｒ１９とを含む。
【００３３】
第１５抵抗器Ｒ１５の第１端と、第１６抵抗器Ｒ１６の第１端と、デジタルポテンショメータＵ４の電源ピンＶＤＤと、第５コンデンサーＣ５の第１端との共通接続点は、電位調整モジュール１０８の電源ポートであり、第５コンデンサーＣ５の第２端と、第６コンデンサーＣ６の第１端と、デジタルポテンショメータＵ４の接地ピンＶＳＳと、第１７抵抗器Ｒ１７の第１端は、共通に接地され、第６コンデンサーＣ６の第２端は、デジタルポテンショメータＵ４の電源ピンＶＤＤに接続され、第１５抵抗器Ｒ１５の第２端と、デジタルポテンショメータＵ４の直列データピンＳＤＡとの共通接続点は、電位調整モジュール１０８のデータ入力ポートであり、第１６抵抗器Ｒ１６の第２端と、デジタルポテンショメータＵ４のクロック入力ピンＳＣＬとの共通接続点は、電位調整モジュール１０８のクロック入力ポートであり、デジタルポテンショメータＵ４のゼロアドレスピンＡ０は、接地され、デジタルポテンショメータＵ４の第１電位配線ピンＰ０Ａと第１８抵抗器Ｒ１８の第１端は、第１７抵抗器Ｒ１７の第２端に共通に接続され、第１８抵抗器Ｒ１８の第２端とデジタルポテンショメータＵ４の第２電位配線ピンＰ０Ｂは、第１９抵抗器Ｒ１９の第１端に共通に接続され、第１９抵抗器Ｒ１９の第２端は、電位調整モジュール１０８の高電位ポートであり、デジタルポテンショメータＵ４の電位タップポートピンＰ０Ｗは、電位調整モジュール１０８の電位調節ポートである。その中で、デジタルポテンショメータＵ４は、主制御チップＵ２が出力したクロック信号及びデータ信号に基づいて、内部の滑り抵抗器を調整することにより、内部の滑り抵抗器のタップポート（即ち、デジタルポテンショメータＵ４の電位タップポートピンＰ０Ｗ）の電位が変わり、尚、電圧トラッキングと制御回路１０４が当該電位変化に基づいて、隔離変圧器１０３の出力電圧に対する調整を行うようにする。デジタルポテンショメータＵ４は、具体的にＭＣＰ４５Ｘ１のデジタルポテンショメータであって可能である。
【００３４】
電流検出モジュール１０９は、第２０抵抗器Ｒ２０と、第２１抵抗器Ｒ２１と、第２２抵抗器Ｒ２２と、第７コンデンサーＣ７と、第８コンデンサーＣ８と、電流検出チップＵ５と、第２３抵抗器Ｒ２３と、第１０コンデンサーＣ９と、第１０コンデンサーＣ１０と、第２４抵抗器Ｒ２４とを含む。
【００３５】
第２０抵抗器Ｒ２０の第１端と第２端は、それぞれ電流検出モジュール１０９の直流入力ポートと直流出力ポートであり、第２１抵抗器Ｒ２１の第１端と第２２抵抗器Ｒ２２の第１端は、各々第２０抵抗器Ｒ２０の第１端と第２端に接続され、第２１抵抗器Ｒ２１の第２端と第７コンデンサーＣ７の第１端は、電流検出チップＵ５の入力正ピンＩＮ＋に共通に接続され、第２２抵抗器Ｒ２２の第２端と第８コンデンサーＣ８の第１端は、電流検出チップＵ５の入力負ピンＩＮ-に共通に接続され、電流検出チップＵ５の電源ピンＶ＋
と第９コンデンサーＣ９の第１端との共通接続点は、電流検出モジュール１０９の電源ポートであり、電流検出チップＵ５の未接続ピンＮＣは、未接続され、電流検出チップＵ５の出力ピンＯＵＴは、第２３抵抗器Ｒ２３の第１端に接続され、第２３抵抗器Ｒ２３の第２端は、電流検出モジュール１０９の電流検出フィードバックポートであり、第１０コンデンサーＣ１０の第１端と第２４抵抗器Ｒ２４の第１端は、第２３抵抗器Ｒ２３の第２端に共通に接続され、第７コンデンサーＣ７の第２端は、第８コンデンサーＣ８の第２端と
、第９コンデンサーＣ９の第２端と、第１０コンデンサーＣ１０の第２端と、第２４抵抗器Ｒ２４の第２端と、電流検出チップＵ５の接地ピンＧＮＤと、第１基准電圧ピンＲＥＦ１と、第２基准電圧ピンＲＥＦ２と共通に接地される。その中で、第２０抵抗器Ｒ２０は、電流検出抵抗器として出力フィルタ回路１０４の出力電流（即ち、電源アダプター１００の出力電流）に対するサンプリングを行ってから、電流検出チップＵ５を通じて、第２０抵抗器Ｒ２０の両ポートの電圧に基づいて、電流検出信号を主制御チップＵ２に出力する。電流検出チップＵ５は、具体的にモデルがＩＮＡ２８６である電流分流モニターであって可能である。
【００３６】
電圧検出モジュール１１０は、第２５抵抗器Ｒ２５と、第２６抵抗器Ｒ２６と、第１１コンデンサーＣ１１と、第１２コンデンサーＣ１２と、第２７抵抗器Ｒ２７と、第２８抵抗器Ｒ２８とを含む。
【００３７】
第２５抵抗器Ｒ２５の第１端は、電圧検出モジュール１１０の第１検出ポートであり、第２５抵抗器Ｒ２５の第２端と、第２６抵抗器Ｒ２６の第１端と、第１１コンデンサーＣ１１の第１端との共通接続点は、電圧検出モジュール１１０の第２出力ポートであり、第２６抵抗器Ｒ２６の第２端は、電圧検出モジュール１１０の第２検出ポートであり、第１１コンデンサーＣ１１の第２端は、第１２コンデンサーＣ１２の第１端と、第２７抵抗器Ｒ２７の第１端と、第２６抵抗器Ｒ２６の第２端に共通に接続され、第１２コンデンサーＣ１２の第２端と第２７抵抗器Ｒ２７の第２端と、第２８抵抗器Ｒ２８の第１端との共通接続点は、電圧検出モジュール１１０の第１出力ポートであり、第２８抵抗器Ｒ２８の第２端は、電圧検出モジュール１１０の第３検出ポートである。
【００３８】
出力スイッチモジュール１１１は、第２９抵抗器Ｒ２９と、第３０抵抗器Ｒ３０と、第１３コンデンサーＣ１３と、第３１抵抗器Ｒ３１と、第１ＮＰＮ型トライオードＮ１と、第３２抵抗器Ｒ３２と、第２ＮＰＮ型トライオードＮ２と、第３ダイオードＤ３と、定電圧ダイオードＺＤと、第３３抵抗器Ｒ３３と、第３４抵抗器Ｒ３４と、第３５抵抗器Ｒ３５と、第２ＮＭＯＳトランジスターQ２と、第３ＮＭＯＳトランジスターQ３とを含む。
【００３９】
第２９抵抗器Ｒ２９の第１端は、出力スイッチモジュール１１１の被制御ポートであり、第２９抵抗器Ｒ２９の第２端と第３０抵抗器Ｒ３０の第１端は、第１ＮＰＮ型トライオードＮ１のベース電極に共通に接続され、第１３コンデンサーＣ１３の第１端は、第３１抵抗器Ｒ３１の第１端と、第３２抵抗器Ｒ３２の第１端と第３ダイオードＤ３の陰極に共通に接続され、第３ダイオードＤ３の陽極は、出力スイッチモジュール１１１の電源ポートであり、第３１抵抗器Ｒ３１の第２端と第２ＮＰＮ型トライオードＮ２のベース電極は、第１ＮＰＮ型トライオードＮ１のコレクター電極に共通に接続され、第３２抵抗器Ｒ３２の第２端と定電圧ダイオードＺＤの陰極と、第３３抵抗器Ｒ３３の第１端は、第２ＮＰＮ型トライオードＮ２のコレクター電極に共通に接続され、第３０抵抗器Ｒ３０の第２端は、第１３コンデンサーＣ１３の第２端と、第１ＮＰＮ型トライオードＮ１のエミッタ電極と、第２ＮＰＮ型トライオードＮ２のエミッタ電極と、定電圧ダイオードＺＤの陽極と共通に接地され、第３３抵抗器Ｒ３３の第２端は、第３４抵抗器Ｒ３４の第１端と、第３５抵抗器Ｒ３５の第１端と、第２ＮＭＯＳトランジスターQ２のゲート電極と、第３ＮＭ
ＯＳトランジスターQ３のゲート電極と共通に接地され、第３４抵抗器Ｒ３４の第２端は
、出力スイッチモジュール１１１の接地ポートであり、第２ＮＭＯＳトランジスターQ２
のドレイン電極は、出力スイッチモジュール１１１の入力ポートであり、第２ＮＭＯＳトランジスターQ２のソース電極と第３５抵抗器Ｒ３５の第２端は、第３ＮＭＯＳトランジ
スターQ３のソース電極に共通に接続され、第３ＮＭＯＳトランジスターQ３のドレイン電極は、出力スイッチモジュール１１１の出力ポートである。その中で、第２ＮＭＯＳトランジスターQ２と第３ＮＭＯＳトランジスターQ３は、電源アダプター１００の直流出力を停止させるように、同時に開通或いは遮断される。
【００４０】
図３は、本発明の実施例が提供する電子機器充電装置のモジュール構造を示している。説明を便利にするために、本発明の実施例と関連される部分だけを示すが、その詳述は下記のようである。
【００４１】
本発明の実施例が提供する電子機器充電装置は、電源アダプター１と、充電制御モジュール２とを含む。電源アダプター１は、通信インターフェース１０を介して、電子機器３の通信インターフェース２０に接続され、且つ電子機器における電池３１に対する充電を行う。充電制御モジュール２は、電子機器３に内蔵され、且つ電子機器３の通信インターフェース２０を介して、電源アダプター１に接続される。電源アダプター１は、図１及び図２が示す電源アダプター１００の構造と相同であるため、ここでは、繰り返して説明しないことにする。
【００４２】
電源アダプター１がパワーオン或いはリセットされた後、電池３１に対する充電を行う時、主制御モジュール１０７は、出力スイッチモジュール１１１を制御し、電源アダプター１の直流出力を遮断させ、電圧検出モジュール１１０は、電源アダプター１の出力電圧に対する検出を行い、且つ電圧検出信号を主制御モジュール１０７にフィードバックし、主制御モジュール１０７は、上記の電圧検出信号に基づいて、電源アダプター１の出力電圧が電圧閾値（例えば、２Ｖ）より大きいか否かを判断し、「はい」であれば、主制御モジュール１０７は、続いて電源アダプター１の出力電圧に対する判断を行い、「いいえ」であれば、主制御モジュール１０７は、出力スイッチモジュール１１１を制御し、電源アダプター１の直流出力を開通させ、且つ電位調整モジュール１０８を通じて、電圧トラッキングと制御回路１０５を駆動し、隔離変圧器１０３の出力電圧を通常の出力電圧（例えば、５．１Ｖ）に設定させる。電流検出モジュール１０９は、電源アダプター１００の出力電流に対する検出を行い且つ電流検出信号を主制御モジュール１０７にフィードバックし、主制御モジュール１０７が上記の電流検出信号に基づいて、電源アダプター１の出力電流が予定時間間隔において通常の電流区間にあると判定した時、主制御モジュール１０７は、充電制御モジュール２と急速充電問い合わせ通信を行い、電子機器２００が主制御モジュール１０７に急速充電指示命令を送信した後、主制御モジュール１０７は、充電制御モジュール２がフィードバックした電池電圧情報に基づいて、電位調整モジュール１０８を通じて、電圧トラッキングと制御回路１０５を駆動電し、隔離変圧器１０３の出力電圧に対する調整を行なわせ、且つ電源アダプター１の出力電圧が充電制御モジュール２により予定された急速充電電圧条件に合う時、主制御モジュール１０７は、電位調整モジュール１０８を通じて、電圧トラッキングと制御回路１０５を駆動し、電源アダプター１００が急速充電電流値（４Ａ）及び急速充電電圧値（３．４Ｖ〜４.８Ｖ）に基づいて直流
を出力するように、隔離変圧器１０３の出力電圧を調整させ、充電制御モジュール２は、同時に電子機器３の通信インターフェース２０を通じて、電源アダプター１から直流を引き込み、電池３１に対する充電を行う。
【００４３】
図４は上記の充電制御モジュール２の例示的な回路構造を示している。説明を便利にするために、本発明の実施例と関連される部分だけを示すが、その詳述は下記のようである。
【００４４】
充電制御モジュール２は、電池コネクターＪ１と、主制御器Ｕ６と、第１３コンデンサーＣ１３と、第３６抵抗器Ｒ３６と、第３７抵抗器Ｒ３７と、第１４コンデンサーＣ１４と、第１ショットキーダイオードＳＤ１と、第２ショットキーダイオードＳＤ２と、第１５コンデンサーＣ１５と、第３８抵抗器Ｒ３８と、第３９抵抗器Ｒ３９と、第４０抵抗器Ｒ４０と、第３ＮＰＮ型トライオードＮ３と、第４ＮＭＯＳトランジスターQ４と、第５
ＮＭＯＳトランジスターQ５とを含む。
【００４５】
電池コネクターＪ１は、電池３００の複数の電極に接続され、電池コネクターＪ１の第１ピン５Ａ-１と第２ピン５Ａ-２は、共通に接地され、電池コネクターＪ１の第１接地ピンＧＮＤ１と第２接地ピンＧＮＤ２は、共通に接地され、主制御器Ｕ６の第１入力出力ピンＲＡ０は、電池コネクターＪ１の第７ピン５Ａ-３及び第８ピン５Ａ-４に接続され、主制御器Ｕ６の第２入力出力ピンＲＡ１と、第７入力出力ピンＲＣ０と、第８入力出力ピンＲＣ１と、第９入力出力ピンＲＣ２は、各々電池コネクターＪ１の第６ピン２Ａ-４と、
第５ピン２Ａ-３と、第４ピン２Ａ-２と、第３ピン２Ａ-１に接続され、主制御器Ｕ６の
アナログ接地ピンＶＳＳと接地ピンＧＮＤは、いずれも接地され、主制御器Ｕ６の第１未接続ピンＮＣ０と第２未接続ピンＮＣ１は、いずれも未接続され、主制御器Ｕ６の電源ピンＶＤＤと、第１３コンデンサーＣ１３の第１端は、いずれも電池コネクターＪ１の第７ピン５Ａ-３と第８ピン５Ａ-４と共通に接続され、主制御器Ｕ６の第４入力出力ピンＲＡ３及び第１１入力出力ピンＲＣ４は、電子機器とデータ通信を行い、第３６抵抗器Ｒ３６は、主制御器Ｕ６の第４入力出力ピンＲＡ３と電源ピンＶＤＤとの間に接続され、主制御器Ｕ６の第６入力出力ピンＲＡ５と第１２入力出力ピンＲＣ５は、各々アダプター１００における主制御モジュール１０７の第１通信ポートと第２通信ポートに接続され、第３７抵抗器Ｒ３７の第１端と第３８抵抗器Ｒ３８の第１端は、主制御器Ｕ６の第１０入力・出力ポートＲＣ３に共通に接続され、第３７抵抗器Ｒ３７の第２端は、主制御器Ｕ６の電源ピンＶＤＤに接続され、第３８抵抗器Ｒ３８の第２端は、第３ＮＰＮ型トライオードＮ３のベース電極に接続され、主制御器Ｕ６の第５入力・出力ポートＲＡ４は、第１４コンデンサーＣ１４の第１端に接続され、第１４コンデンサーＣ１４の第２端と第１ショットキーダイオードＳＤ１の陰極は、第２ショットキーダイオードＳＤ２の陽極に共通に接続され、第３９抵抗器Ｒ３９の第１端と第１５コンデンサーＣ１５の第１端は、第２ショットキーダイオードＳＤ２の陰極に共通に接続され、第３９抵抗器Ｒ３９の第２端と第４０抵抗器Ｒ４０の第１端と、第３ＮＰＮ型トライオードＮ３のコレクター電極は、いずれも第４ＮＭＯＳトランジスターQ４のゲート電極と第５ＮＭＯＳトランジスターQ５のゲート電極に接続され、第４０抵抗器Ｒ４０の第２端と第１５コンデンサーＣ１５の第２端は、共通に接地され、第４ＮＭＯＳトランジスターQ４のソース電極は、第１ショットキーダイ
オードＳＤ１の陽極に接続され、且つ更に電池コネクターＪ１の第７ピン５Ａ-３と第８
ピン５Ａ-４とに接続され、第４ＮＭＯＳトランジスターQ４のドレイン電極は、第５ＮＭＯＳトランジスターQ５のドレイン電極に接続され、第５ＮＭＯＳトランジスターQ５のソース電極は、電子機器３の通信インターフェース２０に接続され、第３ＮＰＮ型トライオードＮ３のエミッタ電極は、第３ショットキーダイオードＳＤ３の陽極に接続され、第３ショットキーダイオードＳＤ３の陰極は接地される。その中で、主制御器Ｕ６は、具体的には、モデルがＰＩＣ１２ＬＦ１５０１や、ＰＩＣ１２Ｆ１５０１や、ＰＩＣ１６ＬＦ１５０３や、ＰＩＣ１６Ｆ１５０３や、ＰＩＣ１６ＬＦ１５０７や、ＰＩＣ１６Ｆ１５０７や、ＰＩＣ１６ＬＦ１５０８や、ＰＩＣ１６Ｆ１５０８や、ＰＩＣ１６ＬＦ１５０９や、或いはＰＩＣ１６Ｆ１５０９である単一チップマイコンであって可能である。
【００４６】
上記の充電制御モジュール２が同時に電子機器３の通信インターフェース２０を通じて、電源アダプター１から直流を引き出し、電池３１に対する充電を行うのは、主制御器Ｕ６によりその第５入力出力ピンＲＡ４を通じて、制御信号を出力することにより、第４ＮＭＯＳトランジスターQ４と第５ＮＭＯＳトランジスターQ５の開通を制御し、且つその第１０入力出力ピンＲＣ３を通じて、第３ＮＰＮ型トライオードＮ３の遮断を制御することにより、データケーブルを通じて、アダプター１の通信インターフェース１０から直流を引き込み、電池３１に対する充電を行うものであり、電池３１自身は、既に電子機器３の通信インターフェース２を通じて、電源アダプター１００から直流を取得したため、充電制御モジュール２が直流を引き出すことは、電池３１に対する充電電流を更に増大させるの役割を果たし、従って電池３１に対する急速充電を実現する。逆に、電池３１に対する通常の充電を行うべきである時、主制御器Ｕ６は、その第５入力出力ピンＲＡ４を通じて、ローレベルを出力し、第４ＮＭＯＳトランジスターQ４及び第５ＮＭＯＳトランジスタ
ーQ５の遮断を制御し、且つその第１０入力出力ピンＲＣ３を通じて、ハイーレベルを出
力し、第３ＮＰＮ型トライオードＮ３の開通を制御する。
【００４７】
主制御器Ｕ６は、その第４入力出力ピンＲＡ３及び第１１入力出力ピンＲＣ４を通じて、電子機器とのデータ通信を行い、電子機器の給電部材が電池３１である時、具体的には、主制御器Ｕ６が電池３１の電圧及び電流情報を電子機器（例えば、携帯電話）に伝送することであって可能であり、且つ主制御器Ｕ６は、電池３１の電圧に基づいて、電池３１が急速充電プロセスを終わらせたか否かを判断することであっても可能であり、若し「はい」であれば、急速充電遮断指令をフィードバックし、電子機器に充電モードを急速充電モードから通常の充電モードに変換させることを告知できる。電源アダプター１が電池３１に対する充電を行う過程において、若し電源アダプター１と電池３１との間の接続が突然遮断された場合、主制御器Ｕ６は、電池コネクターＪ１を通じて、電池３１の電圧を検出し、且つ充電停止指令をフィードバックし、電池３１に対する充電プロセスを停止するように、電子機器３に通信インターフェース２０を遮断させることを告知する。また、若し電子機器３が電池３１の温度を検出できる場合、温度異常の時、電池３１に対する急速充電を停止するように、主制御器Ｕ６に第４ＮＭＯＳトランジスターQ４及び第５ＮＭＯ
ＳトランジスターQ５を遮断することを告知する同時に、電子機器３は、充電モードを急
速充電モードから通常の充電モードに変換させる。
【００４８】
また、電源アダプター１が急速充電モードで働き、且つ充電制御モジュール２が電源アダプター１から直流を引き込んで電池３１に対する充電を行う過程において、若し電源アダプター１の通信インターフェース１０の電源線ＶＢＵＳと接地線ＧＮＤが、各々電子機器３の通信インターフェース２０の地線ＧＮＤと電源線ＶＢＵＳに接続（即ち、電源アダプター１の通信インターフェース１０の電源線ＶＢＵＳと地線ＧＮＤが、各々充電制御モジュール２のグラウンドと第５ＮＭＯＳトランジスターQ５のソース電極に接続する）さ
れる場合、この時、詰まり電源アダプター１の通信インターフェース１０と電子機器３の通信インターフェース２０とが逆接続された場合であり、充電制御モジュール２におけるグラウンドには直流が通じ、第５ＮＭＯＳトランジスターQ５のソース電極は接地される
。部品破損を招く問題を避けるために、図５が示すように、充電制御モジュール２は、第６ＮＭＯＳトランジスターQ６と、第７ＮＭＯＳトランジスターQ７と、第４１抵抗器Ｒ４１とを更に含む事ができる。第６ＮＭＯＳトランジスターQ６のソース電極は、第５ＮＭ
ＯＳトランジスターQ５のソース電極に接続され、第６ＮＭＯＳトランジスターQ６のドレイン電極は、第７ＮＭＯＳトランジスターQ７のドレイン電極に接続され、第７ＮＭＯＳ
トランジスターQ７のソース電極は、第３ＮＰＮ型トライオードＮ３のコレクター電極に
接続され、第６ＮＭＯＳトランジスターQ６のゲート電極と第７ＮＭＯＳトランジスターQ７のゲート電極は、第４１抵抗器Ｒ４１の第１端に共通に接続され、第４１抵抗器Ｒ４１の第２端は、接地される。
【００４９】
上記の逆接続問題が発生する時、第６ＮＭＯＳトランジスターQ６及び第７ＮＭＯＳト
ランジスターQ７の遮断を駆動するように、第４１抵抗器Ｒ４１の第２端は、グラウンド
から直流に接続することにより、グラウンドから充電制御モジュール２に入った直流が回路を形成出来ないようにし、充電制御モジュール２における部品が破損されないように保護する目的を達成する。
【００５０】
上記より、本発明の実施例は、電源モジュールと、主制御モジュールと、電位調整モジュールと、電流検出モジュールと、電圧検出モジュールと、出力スイッチモジュールとを含む電源アダプターを採用することにより、電源アダプターがパワーオン或いはリセットされた後、通常の充電モードによって電池に対する充電を行う過程において、電源アダプターの出力電流値が予定時間間隔以内において通常の電流区間にある時、電源アダプターは、電子機器と急速充電問い合わせ通信を行い、電子機器が電源アダプターに急速充電指
示命令を送信した後、電源アダプターは、電子機器がフィードバックした電池電圧情報に基づいて、出力電圧を調整し、且つ当該出力電圧が電子機器により予定された急速充電電圧条件に合う時、電池に対する充電を行うように、電源アダプターは、急速充電モードによって、出力電流及び出力電圧を調整することにより、電池に対する充電時間を短縮させるための急速充電を行う目的を実現する。
【００５１】
上記の内容は、ただ本発明の望ましい実施例であり、本発明を限定するものではない。本発明の原理及び主旨から逸脱しない前提で行われる補正、切り替え、及び改善などは、いずれも本発明の特許請求の範囲に組み込まれる。
【図１】
2018050459.tif 000003
【図２】
2018050459.tif 000004
【図３】
2018050459.tif 000005
【図４】
2018050459.tif 000006
【図５】
2018050459.tif 000007
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
電源アダプターであって、
前記電源アダプターは、前記電源アダプターの通信インターフェースを介して、電子機器の通信インターフェースに接続され、且つ前記電子機器における電池に対して充電を行い、
前記電源アダプターは、順番に接続されているＥＭＩフィルタ回路と、高電圧整流フィルタ回路と、隔離変圧器と、出力フィルタ回路と、電圧トラッキングと制御回路とを含み、
前記電源アダプターは、電源モジュールと、主制御モジュールと、電位調整モジュールと、電流検出モジュールと、電圧検出モジュールと、出力スイッチモジュールとを更に含み、
前記電源アダプターがパワーオン或いはリセットされた後、前記電池に対する充電を行う時、
前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、
前記主制御モジュールは、前記電圧検出信号に基づいて、前記電源アダプターの出力電圧が電圧閾値より大きいか否かを判断し、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電圧に設定させ、
前記電流検出モジュールは、前記電源アダプターの出力電流に対して検出を行い、且つ電流検出信号を前記主制御モジュールにフィードバックし、前記主制御モジュールが前記電流検出信号に基づいて、前記電源アダプターの出力電流が予定時間間隔以内において通常の電流区間にあると判定した時、前記主制御モジュールは、前記電子機器と急速充電問い合わせ通信を行い、
前記電子機器が前記主制御モジュールに急速充電指示命令を送信した後、前記主制御モジュールは、前記電子機器がフィードバックした電池電圧情報に基づいて、前記電位調整モジュールを通じて、前記電圧トラッキングと制御回路を駆動し、前記隔離変圧器の出力電圧に対する調整を行なわせる、
ことを特徴とする電源アダプター。
【請求項２】
前記電源アダプターの出力電圧が前記電子機器により予定された急速充電電圧条件に合う時、前記主制御モジュールは、前記電位調整モジュールを通じて、前記電圧トラッキングと制御回路を駆動し、前記電源アダプターが急速充電電流値及び急速充電電圧値に基づいて直流を出力するように、前記隔離変圧器の出力電圧を調整させる、
ことを特徴とする請求項１に記載の電源アダプター。
【請求項３】
前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対して判断する、
ことを特徴とする請求項１に記載の電源アダプター。
【請求項４】
前記主制御モジュールは、主制御チップと、第３抵抗器と、基準電圧チップと、第４抵抗器と、第５抵抗器と、第４コンデンサーと、第６抵抗器と、第７抵抗器と、第１ＮＭＯＳトランジスターと、第８抵抗器と、第９抵抗器と、第１０抵抗器と、第１１抵抗器と、第１２抵抗器と、第１３抵抗器と、第１４抵抗器とを含み、
前記主制御チップの電源ピンは、前記主制御モジュールの電源ポートであり、前記主制御チップの接地ピンは、接地され、前記主制御チップの第１入力出力ピンは、未接続され、前記第３抵抗器の第１端は、前記主制御チップの電源ピンに接続され、前記第３抵抗器の第２端と前記第４抵抗器の第１端は、前記基準電圧チップの正極に共通に接続され、前記基準電圧チップの負極は、接地され、前記基準電圧チップＵ３の未接続ピンは、未接続され、前記第４抵抗器の第２端は、前記主制御チップの第２入力出力ピンに接続され、前記主制御チップの第３入力出力ピンは、前記主制御モジュールの電流検出ポートであり、前記主制御チップの第４入力出力ピンは、前記第５抵抗器の第１端に接続され、前記第５抵抗器の第２端と前記第４抵抗器の第１端は、前記主制御チップの電源ピンに共通に接続され、前記第４コンデンサーの第２端は、接地され、前記主制御チップの第５入力出力ピンは、前記主制御モジュールのスイッチ制御ポートであり、前記主制御チップの第６入力出力ピンは、前記第６抵抗器の第１端に接続され、前記第６抵抗器の第２端と前記第１ＮＭＯＳトランジスターのゲート電極は、前記第７抵抗器の第１端に共通に接続され、前記第７抵抗器の第２端と前記第１ＮＭＯＳトランジスターのソース電極は、共通に接地され、前記第１ＮＭＯＳトランジスターのドレイン電極は、前記第８抵抗器の第１端に接続され、前記第８抵抗器の第２端は、前記主制御モジュールの高電位ポートであり、前記主制御チップの第７入力出力ピンと第８入力出力ピンは、それぞれ前記主制御モジュールのクロック出力ポートとデータ出力ポートであり、前記主制御チップの第１０入力出力ピンと第９入力出力ピンは、それぞれ前記主制御モジュールの第１電圧検出ポートと第２電圧検出ポートであり、前記主制御チップの第１１入力出力ピンと第１２入力出力ピンは、各々前記第９抵抗器の第１端と前記第１０抵抗器の第１端に接続され、前記第１１抵抗器の第１端と前記第１２抵抗器の第１端は、各々前記第９抵抗器の第２端と前記第１０抵抗器の第２端に接続され、前記第１１抵抗器の第２端と前記第１２抵抗器の第２端は、共通に接地され、前記第１３抵抗器の第１端と前記第１４抵抗器の第１端は、各々前記第９抵抗器の第２端と前記第１０抵抗器の第２端に接続され、前記第１３抵抗器の第２端と前記第１４抵抗器の第２端は、前記主制御チップの電源ピンに共通に接続され、前記第９抵抗器の第２端と前記第１０抵抗器の第２端は、それぞれ前記主制御モジュールの第１通信ポートと第２通信ポートである、
ことを特徴とする請求項１に記載の電源アダプター。
【請求項５】
電子機器充電装置であって、
前記電子機器充電装置は、請求項１乃至３のいずれかに記載の電源アダプターと、充電制御モジュールとを含み、
前記電源アダプターは、前記電源アダプターの通信インターフェースを介して、電子機器の通信インターフェースに接続され、且つ前記電子機器中における電池に対する充電を行い、
前記充電制御モジュールは、前記電子機器に内蔵され、且つ前記電子機器の通信インターフェースを介して、前記電源アダプターに接続され、
前記電源アダプターがパワーオン或いはリセットされた後、前記電池に対する充電を行う時、
前記主制御モジュールは、前記出力スイッチモジュールを制御し、前記電源アダプターの直流出力を遮断させ、前記電圧検出モジュールは、前記電源アダプターの出力電圧に対する検出を行い、且つ電圧検出信号を前記主制御モジュールにフィードバックし、
前記主制御モジュールは、前記電圧検出信号に基づいて、前記電源アダプターの出力電圧が電圧閾値より大きいか否かを判断し、「いいえ」であれば、前記主制御モジュールは、前記出力スイッチモジュールを制御し、前記電源アダプターの直流出力を開通させ、且つ前記電位調整モジュールを通じて、前記電圧トラッキングと制御回路を駆動し、前記隔離変圧器の出力電圧を通常の出力電圧に設定させ、
前記電流検出モジュールは、前記電源アダプターの出力電流に対する検出を行い、且つ電流検出信号を前記主制御モジュールにフィードバックし、前記主制御モジュールが前記電流検出信号に基づいて、前記電源アダプターの出力電流が予定時間間隔以内において通常の電流区間にあると判定した時、前記主制御モジュールは、前記充電制御モジュールと急速充電問い合わせ通信を行い、
前記充電制御モジュールが前記主制御モジュールに急速充電指示命令を送信した後、前記主制御モジュールは、前記充電制御モジュールがフィードバックした電池電圧情報に基づいて、前記電位調整モジュールを通じて、前記電圧トラッキングと制御回路を駆動し、前記隔離変圧器の出力電圧に対する調整を行なわせる、
ことを特徴とする電子機器充電装置。
【請求項６】
前記電源アダプターの出力電圧が前記充電制御モジュールにより予定された急速充電電圧条件に合う時、
前記主制御モジュールは、前記電位調整モジュールを通じて、前記電源アダプターが急速充電電流値及び急速充電電圧値に基づいて直流を出力するように、前記電圧トラッキングと制御回路を駆動し、前記隔離変圧器の出力電圧を調整させ、前記充電制御モジュールは、同時に前記電子機器の通信インターフェースを通じて、前記電源アダプターから直流を引き込み、前記電池に対する充電を行う、
ことを特徴とする請求項５に記載の電子機器充電装置。
【請求項７】
前記主制御モジュールは、前記電圧検出信号に基づいて、前記電源アダプターの出力電圧が電圧閾値より大きいか否かを判断し、「はい」であれば、前記主制御モジュールは、続いて前記電源アダプターの出力電圧に対する判断を行う、
ことを特徴とする請求項５に記載の電子機器充電装置。
【請求項８】
前記充電制御モジュールは、電池コネクターと、主制御器と、第１３コンデンサーと、第３６抵抗器と、第３７抵抗器と、第１４コンデンサーと、第１ショットキーダイオードと、第２ショットキーダイオードと、第１５コンデンサーと、第３８抵抗器と、第３９抵抗器と、第４０抵抗器と、第３ＮＰＮ型トライオードと、第４ＮＭＯＳトランジスターと、第５ＮＭＯＳトランジスターとを備え、
前記電池コネクターは、前記電池の電極に接続され、前記電池コネクターの第１ピンと第２ピンは、共通に接地され、前記電池コネクターの第１接地ピンと第２接地ピンは、共通に接地され、前記主制御器の第１入力出力ピンは、前記電池コネクターの第７ピン及び第８ピンに接続され、前記主制御器の第２入力出力ピン、第７入力出力ピン、第８入力出力ピン及び第９入力出力ピンは、各々前記電池コネクターの第６ピン、第５ピン、第４ピン及び第３ピンに接続され、前記主制御器のアナログ接地ピン及びグラウンドピンは、いずれも接地され、前記主制御器の第１未接続ピン及び第２未接続ピンは、いずれも未接続され、前記主制御器の電源ピン及び前記第１３コンデンサーの第１端は、いずれも前記電池コネクターの第７ピン及び第８ピンに共通に接続され、前記主制御器の第４入力出力ピン及び第１１入力出力ピンは、電子機器とデータ通信を行い、前記第３６抵抗器は、前記主制御器の第４入力出力ピンと電源ピンとの間に接続され、前記主制御器の第６入力出力ピンと第１２入力出力ピンは、各々前記アダプター中の主制御モジュールの第１通信ポートと第２通信ポートに接続され、前記第３７抵抗器の第１端及び前記第３８抵抗器の第１端は、前記主制御器の第１０入力・出力ポートに共通に接続され、前記第３７抵抗器の第２端は、前記主制御器の電源ピンに接続され、前記第３８抵抗器の第２端は、前記第３ＮＰＮ型トライオードのベース電極に接続され、前記主制御器の第５入力・出力ポートは、前記第１４コンデンサーの第１端に接続され、前記第１４コンデンサーの第２端及び前記第１ショットキーダイオードの陰極は、前記第２ショットキーダイオードの陽極に共通に接続され、前記第３９抵抗器の第１端及び前記第１５コンデンサーの第１端は、前記第２ショットキーダイオードの陰極に共通に接続され、前記第３９抵抗器の第２端と、前記第４０抵抗器の第１端と、前記第３ＮＰＮ型トライオードのコレクター電極は、いずれも前記第４ ＮＭＯＳトランジスターのゲート電極及び前記第５ＮＭＯＳトランジスターのゲート電極に接続され、前記第４０抵抗器の第２端と前記第１５コンデンサーの第２端は、共通に接地され、前記第４ＮＭＯＳトランジスターのソース電極は、前記第１ショットキーダイオードの陽極に接続され、且つ前記電池コネクターの第７ピン及び第８ピンに接続され、前記第４ＮＭＯＳトランジスターのドレイン電極は、前記第５ＮＭＯＳトランジスターのドレイン電極に接続され、前記第５ＮＭＯＳトランジスターのソース電極は、前記電子機器の通信インターフェースに接続され、前記第３ＮＰＮ型トライオードのエミッタ電極は、第３ショットキーダイオードの陽極に接続され、前記第３ショットキーダイオードの陰極は、接地される、
ことを特徴とする請求項５に記載の電子機器充電装置。